(57)【要約】【課題】犬などのペットを散歩させる際、飼い主にはマナーとしてその糞の後始末をすることが求められる。その犬などの散歩の際に持参し、犬の用便時の糞の回収のために使用する、回収後は、家庭の水洗便器で洗浄ができる犬の糞の回収器具を提供する。【解決手段】容器本体（3）、回動蓋（2）、把手（1）の付いた伸縮柄部（1a,1b）からなる、（受け取り）回収及び（拾い取り）回収の両方の犬の糞の回収ができ、しかも回収後は、家庭の水洗便器で洗浄ができることを特徴とする。【選択図】図7
0003102741.tif 000002
【実用新案登録請求の範囲】
【請求項１】
容器本体（3）、回動蓋（2）、把手部（1）の付いた伸縮柄部（1a）（1b）、の3つの部品からなり、回動蓋（2）に把手部（1）の付いた伸縮柄部（1a）（1b）を2つの回動軸支持板（5）で取り付け、次にそれを容器本体（3）の回動軸支持受け（6）に取り付けた、犬の糞の（受け取り）回収及び（拾い取り）回収ができ、回収後、家庭の水洗便器で洗浄が簡便にできるように、容器本体（3）に洗浄排水口（8）を設けたことを特徴とする、犬の排泄物（糞）処理器具。
【考案の詳細な説明】
【技術分野】
【０００１】
本考案は、犬等の連歩動物の排泄物（糞）処理器具に関するものであり、特に、犬が糞の用便ときに犬の尻の下に排泄物（糞）処理器具を設置し、糞が地面に落ちる前に受け取ったり、排泄された糞を掬い取ったりし、しかも、回収した糞を、家庭に持ち帰り、家庭の水洗便器に糞を捨てた後、その排泄物（糞）処理器具の清潔を保つため、家庭の水洗便器で洗浄を可能にした排泄物（糞）処理器具に関するものである。
【背景技術】
【０００２】
犬などのペットを散歩させる際、飼い主にはマナーとしてその糞の後始末をすることが求められる。従来、犬を散歩させる時は、「火挟み」「チリトリ」「ヘラ」等で犬の糞を取り、ビニール袋に入れるか、ビニール袋の中に手を入れ、間接的に糞を掴み、裏がえしにしてビニール袋に糞を入れるなどの方法で糞処理をしていた。このように固めの糞を収納回収するポリ袋を利用した犬糞処理器としては、（特許公報第２５６９２８７号、実開平６−７０５５３号及び実開平７−１７０４９号）等が考案されている。しかし、犬の糞は、犬の健康状態により、いつも固めの糞ばかりではなく、日によって千差満別である。そのため、同じポリ袋を利用したものに、通常は（拾い取り）や地面に落ちる前に犬の尻の下に処理器を持ち受けて回収する（受け取り）などの方法の犬糞処理器も考案されている（特開平１０−１６５０３０号公報）。しかし、下痢状であったり、柔らかい糞の場合や地面が急な斜面で糞が転がり落ちてしまう場合や、下面が凸凹の砂利や草の茂みの場合、雨天時などで下面が濡れている場合などさまざまな回収が予測されるのである。更に、犬の散歩中は、リードを持ちながら同時に犬糞処理器を携帯し、扱わなければならず、極力軽くて小さく持ち易いことが望まれる。その点、従来のものでは形状も機械的で大きく携帯に不便であると共に用法が単一的で、「受け取り」と「拾い取り」の両方を片手で的確に行うことが出来る器具はなかった。また、（実願平７−４４２１号公報）に示されたもののような、柄の先端に袋を取り付ける枠体を有するものはかがみ作業がなく操作性が良い上、枠体から袋を取り外し、その袋ごと廃棄できるため衛生面では優れているように思えるが、そのビニール袋の処理方法で、犬の散歩の多い公園等では、公衆トイレの便器が詰まったり、公園のゴミ箱の悪臭がひどく、愛犬家のマナーが守られない地区も多くあった。
【０００３】
【特許文献１】特許公報第２５６９２８７号
【特許文献２】実新開平６-７０５５３号
【特許文献３】実新開平７−１７０４９号
【特許文献４】実願平７−４４２１号
【特許文献５】登録実用新案第３００９０８０号
【特許文献６】特開平１０−１６５０３０号公報
【考案の開示】
【考案が解決しようとする課題】
【０００４】
従来の犬の糞の回収器具は、一つのもので（拾い取り）と（受け取り）の両方を一つの器具で的確に回収できるものがなかった。また、回収後、自宅に持ち帰り、簡便に水洗便器で洗える器具が見当たらない。本考案は、以上の欠点を解決するために考案されたものである。
【課題を解決するための手段】
【０００５】
本考案は、容器本体（3）、回動蓋（2）、把手（1）の付いた伸縮柄部（1a,1b）からなる、（受け取り）回収及び（拾い取り）回収の両方の犬の糞の回収ができ、しかも回収後は、家庭の水洗便器で洗浄ができることを特徴とする、犬の糞の回収器具である。
【考案の効果】
【０００６】
本考案品を持ち歩くときは、図4断面図の把手（1）を持つ。この場合の平面図は図1の通りである、容器本体（3）の開口部（7）は回動蓋（2）によって、閉まっている状態になっているため、糞を回収後であっても、臭気の発散を防ぐことができる。
【０００７】
この場合、身長によって、（伸縮柄a,伸縮柄bの固定ピン1c）を緩め、伸縮柄部（1a）（1b）を調整して、長さを調節できる。この伸縮は、（受け取り）回収を嫌がる犬の場合、長く引き伸ばして犬から離れて、犬の尻の下に器具を設置する場合も使用可能である。
【０００８】
犬の糞を（受け取り）回収する場合は、容器本体（3）の中にテッシュペーパー又、チリ紙を敷き入れ、図6使用状態を示す斜視図に示すように使用する。犬が用便を済ました後回収する（拾い取り）回収をする場合は、容器本体（3）にテッシュペーパー又、チリ紙を中に敷き、図3で示すように、回動軸支持受け（6）を中心に、開口部（7）を矢印の方向に押して回収する。回収収納した糞は、自宅に持ち帰り、まず容器本体（3）の中に納まっている糞を水洗便器に捨て、その後、水洗便器の水の出てくる方向に開口部（7）を向け、水を流す。流された水により、（容器本体（3）の開口部（7）の反対側に開けられている洗浄排水口（8）から容器本体（3）の内部を洗浄するという利点がある。
【考案を実施するための最良の形態】
【０００９】
本考案品は、容器本体（3）、回動蓋（2）、把手部（1）の付いた伸縮柄部（1a）（1b）、の3つの部品からなっている。まず、把手部（1）の付いた伸縮柄部（1a）（1b）を、回動軸支持板（5）の二つの部品で、回動蓋（2）に取り付け、次に、回動軸（4）を容器本体（3）の回動軸支持受け（6）に取り付ける。
【産業上の利用可能性】
【００１０】
本考案品は、容器本体（3）、回動蓋（2）、把手部（1）の付いた伸縮柄部（1a）（1b）、の3つの部品からなり、把手部（1）の付いた伸縮柄部（1a）（1b）は、金属で製作し、容器本体（3）、回動蓋（2）は、合成樹脂で製造するようにすると、軽量に、しかも安価でできる。
【図面の簡単な説明】
【００１１】
【図１】本考案の平面図
【図２】本考案の正面図
【図３】本考案の開閉蓋の開口時の側面図
【図４】本考案の開閉蓋の閉口時の断面図（Ａ−Ａ’）
【図５】本考案の伸縮中空棒の平面図
【図６】本考案の使用状態を示す斜視図
【図７】本考案の斜視図
【符号の説明】
【００１２】
1    把手
1a  伸縮柄部a
1b  伸縮柄部b
1c  （伸縮柄a,伸縮柄b）の固定ピン
2    回動蓋
3    容器本体
4    回動軸
5    回動軸支持板
6    回動軸支持受け
7    開口部
8    洗浄排水口
【図１】
0003102741.tif 000003
【図２】
0003102741.tif 000004
【図３】
0003102741.tif 000005
【図４】
0003102741.tif 000006
【図５】
0003102741.tif 000007
【図６】
0003102741.tif 000008
【図７】
0003102741.tif 000009
【手続補正書】
【提出日】平成16年2月7日(2004.2.7)
【手続補正１】
【補正対象書類名】実用新案登録請求の範囲
【補正対象項目名】請求項１
【補正方法】変更
【補正の内容】
【請求項１】
容器本体（３）、回動蓋（２）、把手部（１）の付いた伸縮柄部（１ａ）（１ｂ）、の３つの部品からなり、回動蓋（２）に把手部（１）の付いた伸縮柄部（１ａ）（１ｂ）を２つの回動軸支持板（５）で取り付け、次にそれを容器本体（３）の回動軸支持受け（６）に取り付けた、犬の糞の受け取り回収ができ、回収後、家庭の水洗便器で洗浄が簡便にできるように、容器本体（３）に洗浄排水口（８）を設けたことを特徴とする、犬の糞処理器具。